(57)【要約】【課題】モータの巻線の接続がより便利になり、時間の節約になるエンドキャップ組立体を提供する。【解決手段】電気モータ用のエンドキャップ組立体と、これを有するステータとが提供される。エンドキャップ組立体は、エンドキャップと、第１のワイヤーと、第１のワイヤーに対応する２つの端子とを含む。２つの端子は、エンドキャップに固定され、電気モータの対応する巻線に接続するように構成される。エンドキャップは、１つの端子から別の端子まで延びる第１の収容溝を定める。第１のワイヤーは、第１の収容溝内に収容され、第１のワイヤーの２つの端部がそれぞれ２つの端子に電気的に接続される。【選択図】図６
2017175898.tif 000002
【特許請求の範囲】
【請求項１】
電気モータ用エンドキャップ組立体であって、
内部に第１の収容溝を定めるエンドキャップと、
前記第１の収容溝内に収容された第１のワイヤーと、
前記第１のワイヤーに対応して前記エンドキャップに固定され、前記電気モータの対応する巻線に接続するように構成された２つの端子と、を備え、
前記第１の収容溝は、前記２つの端子の一方から前記２つの端子の他方まで延び、前記第１のワイヤーの２つの端部が、それぞれ、前記第１のワイヤーに対応する前記２つの端子に電気的に接続される、ことを特徴とするエンドキャップ組立体。
【請求項２】
該エンドキャップ組立体は、第２のワイヤーと、前記第２のワイヤーに対応して前記電気モータの対応する巻線に接続するように構成された２つの端子とをさらに備え、前記エンドキャップはその内部に第２の収容溝を定め、前記第２のワイヤーは前記第２の収容溝に収容され、前記第２のワイヤーの２つの端部が、それぞれ、前記第２のワイヤーに対応する前記２つの端子に電気的に接続される、請求項１に記載のエンドキャップ組立体。
【請求項３】
前記第２の収容溝は、前記第１の収容溝と連通しかつ交差し、該エンドキャップ組立体は、前記第１のワイヤーを前記第２のワイヤーから電気的に絶縁するための分離部分を含む、請求項２に記載のエンドキャップ組立体。
【請求項４】
該エンドキャップ組立体は、第３のワイヤーと、前記第３のワイヤーに対応して前記電気モータの対応する巻線に接続するように構成された２つの端子とをさらに備え、前記エンドキャップはその内部に第３の収容溝を定め、前記第３のワイヤーは前記第３の収容溝に収容され、前記第３のワイヤーの２つの端部が、それぞれ、前記第３のワイヤーに対応する前記２つの端子に電気的に接続され、前記第３の収容溝は、前記第１の収容溝及び／又は前記第２の収容溝と連通しかつ交差し、前記第３の収容溝と前記第１の収容溝との間の交差領域及び／又は前記第３の収容溝と前記第２の収容溝との間の交差領域に、ボスが形成され、前記第３のワイヤーを、前記第１のワイヤー及び／又は前記第２のワイヤーから電気的に絶縁する、請求項２に記載のエンドキャップ組立体。
【請求項５】
前記エンドキャップは、その中心部分に軸受シートを形成し、前記第１の収容溝、前記第２の収容溝及び前記第３の収容溝は、前記軸受シートを取り囲む、請求項４に記載のエンドキャップ組立体。
【請求項６】
前記エンドキャップは、前記第１の収容溝の前記２つの端部、前記第２の収容溝の前記２つの端部、及び前記第３の収容溝の前記２つの端部に位置し、しかもそれぞれ、前記第１の収容溝、前記第２の収容溝、及び前記第３の収容溝と連通する、複数の収容スロットを定め、各々の前記端子は、前記収容スロットの１つに収容される、請求項４に記載のエンドキャップ組立体。
【請求項７】
各々の前記収容スロットは、前記エンドキャップの縁に位置し、前記エンドキャップの外周面は、各前記収容スロットに隣接する位置に開口を定め、前記開口は、対応する前記収容スロットに向かって延び、前記端子は接続板及びフックを含み、前記接続板は前記収容スロット内に収容され、前記フックは、前記接続板のうち前記開口に向いた側面に位置し、前記フック及び前記接続板は協働してスロットを形成する、請求項６に記載のエンドキャップ組立体。
【請求項８】
ステータであって、
ステータコアと、
前記ステータコアに巻き付けた巻線と、
前記ステータコアに固定されたエンドキャップ組立体と、を備え、前記エンドキャップ組立体は、
内部に第１の収容溝を定めるエンドキャップと、
前記第１の収容溝内に収容された第１のワイヤーと、
前記エンドキャップに固定され、前記電気モータの対応する巻線に接続された２つの端子と、を備え、
前記第１の収容溝は、前記２つの端子の一方から前記２つの端子の他方まで延び、前記第１のワイヤーの２つの端部が、それぞれ、前記第１のワイヤーに対応する前記２つの端子に電気的に接続される、ことを特徴とするステータ。
【請求項９】
前記ステータコアは、ヨークと、前記ヨークから延びる少なくとも２つの歯とを含み、各前記２つの隣接する歯は、それらの間にステータスロットを定め、前記巻線は前記歯の周りに巻き付け、各々の前記巻線は、前記巻線の端部から前記エンドキャップに向かって引き出された２つの接続部を有し、前記２つの接続部は、前記巻線の２つの向かい合う側面に位置し、かつそれぞれ前記対応する歯の２つの側面に位置する２つのステータスロットから引き出され、同じ前記ステータスロットから引き出された２つの接続部が、互いに近くに配置され、前記端子の一方に接続する、請求項８に記載のステータ。
【請求項１０】
同じ前記ステータスロットから引き出された前記２つの接続部は、前記対応する端子に溶接され又ははんだ付けされて前記対応する巻線を前記端子に電気的に接続する、請求項９に記載のステータ。
【発明の詳細な説明】
【技術分野】
【０００１】
[0002]  この発明は、電気モータに、特にモータのエンドキャップ組立体に関する。
【背景技術】
【０００２】
[0003]  電気モータは、私たちの生活において、工業製品及び種々の電気器具で広く使用される。従来のモータは、ステータ及びロータを含む。ロータに回転軸が取り付けられ、ロータとともに回転して動力を出力する。従来の一部のモータは、ハウジング及びエンドキャップを有する。ステータコア、及びステータコアに巻き付けたステータ巻線は、ハウジングに取り付ける。同相のステータ巻線は一緒に接続する必要があり、一般的な実務は、ボビンの外周面上で接続線ワイヤーを設定すること（それには大きな半径方向空間が必要となる）、又はＰＣＢＡを使用して巻線同士を接続すること（それは費用を増加させる）である。
【発明の概要】
【発明が解決しようとする課題】
【０００３】
[0004]  従って、モータの巻線の接続がより便利になり、しかも時間の節約になるエンドキャップ組立体に対する要望がある。
【課題を解決するための手段】
【０００４】
[0005]  １つの態様において、エンドキャップ組立体が供給され、エンドキャップ組立体は、エンドキャップと、エンドキャップに取り付けた第１のワイヤーと、第１のワイヤーに対応する２つの端子とを含む。２つの端子は、エンドキャップに固定され、電気モータの対応する巻線に接続するように構成される。エンドキャップは、内部に第１の収容溝を定める。第１の収容溝は、２つの端子の一方から２つの端子の他方まで延びる。第１のワイヤーは第１の収容溝内に収容され、第１のワイヤーの２つの端部が、それぞれ、第１のワイヤーに対応する２つの端子に電気的に接続される。
【０００５】
[0006]  エンドキャップ組立体は、エンドキャップに取り付けた第２のワイヤーと、第２のワイヤーに対応して電気モータの対応する巻線に接続するように構成された２つの端子とをさらに備えることが好ましい。エンドキャップはその内部に第２の収容溝を定め、第２のワイヤーは、第２の収容溝に収容され、第２のワイヤーの２つの端部が、それぞれ、第２のワイヤーに対応する２つの端子に電気的に接続される。
【０００６】
[0007]  第２の収容溝は、第１の収容溝と連通しかつ交差し、エンドキャップ組立体は、第１のワイヤーを第２のワイヤーから電気的に絶縁するための分離部分を含むことが好ましい。
【０００７】
[0008]  エンドキャップ組立体は、エンドキャップに取り付けた第３のワイヤーと、第３のワイヤーに対応して電気モータの対応する巻線に接続するように構成された２つの端子とをさらに備えることが好ましい。エンドキャップは、その内部に第３の収容溝を定め、第３のワイヤーは第３の収容溝に収容され、第３のワイヤーの２つの端部が、それぞれ、第３のワイヤーに対応する２つの端子に電気的に接続される。第３の収容溝は、第１の収容溝及び／又は第２の収容溝と連通しかつ交差する。第３の収容溝と第１の収容溝との間の交差領域及び／又は第３の収容溝と第２の収容溝との間の交差領域に、ボスが形成され、第３のワイヤーを、第１のワイヤー及び／又は第２のワイヤーから電気的に絶縁する。
【０００８】
[0009]  エンドキャップは、その中心部分に軸受シートを形成し、第１の収容溝、第２の収容溝及び第３の収容溝は、軸受シートを取り囲むことが好ましい。
【０００９】
[0010]  エンドキャップは、第１の収容溝の２つの端部、第２の収容溝の２つの端部、及び第３の収容溝の２つの端部に位置し、しかもそれぞれ、第１の収容溝、第２の収容溝及び第３の収容溝と連通する、複数の収容スロットを定め、各々の端子は、収容スロットの１つに収容されることが好ましい。
【００１０】
[0011]  各収容スロットは、エンドキャップの縁に位置し、エンドキャップの外周面は、各収容スロットに隣接する位置に開口を定め、開口は、対応する収容スロットに向かって延び、端子は、接続板及びフックを含み、接続板は収容スロット内に収容され、フックは、接続板のうち開口に向いた側面に位置し、フック及び接続板は、協働してスロットを形成することが好ましい。
【００１１】
[0012]  エンドキャップは、主本体と、主本体の側面にある側壁とを含み、主本体の内側に収容スロットが定まり、側壁のうち主本体から遠い端部は、各収容スロットに隣接する収容溝を定め、各２つの隣接する収容溝の間に位置決め部分が形成されることが好ましい。
【００１２】
[0013]   収容溝を形成する各位置決め部分の２つの側面は、傾いて楔形状であることが好ましい。
【００１３】
[0014]  位置決め部分の少なくとも１つは、その内側面に突起を形成し、突起は、エンドキャップの軸方向に沿って延びることが好ましい。
【００１４】
[0015]  位置決め部分は巻付部分を形成し、開口部を有するラッチ溝が各巻付部分によって定まり、ラッチ溝の開口部は外側方向で狭まることが好ましい。
【００１５】
[0016]  別の態様では、上記エンドキャップを含むステータが供給される。ステータは、ステータコア及び巻線を含み、エンドキャップ組立体はステータコアに固定される。
【００１６】
[0017]  ステータコアは、ヨークと、ヨークから延びる少なくとも２つの歯とを含み、各２つの隣接する歯は、それらの間にステータスロットを定め、巻線は歯の周りに巻き付け、各々の巻線は、巻線の端部からエンドキャップに向かって引き出された２つの接続部を有し、２つの接続部は、巻線の２つの向かい合う側面に位置し、かつそれぞれ対応する歯の２つの側面に位置する２つのステータスロットから引き出され、同じステータスロットから引き出された２つの接続部が、互いに近くに配置され、端子の一方に接続することが好ましい。
【００１７】
[0018]  同じステータスロットから引き出された２つの接続部は、対応する端子に溶接され又ははんだ付けされて対応する巻線を端子に電気的に接続することが好ましい。
【００１８】
[0019]  本発明の実施形態によるステータでは、端子及びワイヤーは、エンドキャップ上に固定され、これにより組立が便利になり、エンドキャップ内の空間が最大限に利用されて、巻線間の接続が簡単になり、モータの費用が下がる。さらに、エンドキャップはその内部に収容溝を定め、収容溝内にボスが形成され、結果としてワイヤーは、エンドキャップ内に、互いに接触することなく順序正しく分布させることができ、ワイヤーの絡み合い及び短絡の危険が回避される。
【図面の簡単な説明】
【００１９】
【図１】本発明の実施形態によるステータの等角図である。
【図２】図１のステータの分解組立図である。
【図３】図２のステータのステータコア及びボビンの分解組立図である。
【図４】図２のステータのエンドキャップの等角図である。
【図５】図４のエンドキャップを別の角度から見た図である。
【図６】図１のステータのエンドキャップ組立体の等角図である。
【発明を実施するための形態】
【００２０】
[0026]  本発明の実施形態の技術的解決法が、添付図面を参照して以下の通りに明確にかつ完全に説明される。以下に説明する実施形態は、本発明の実施形態の全てではなく、本発明の実施形態の一部に過ぎないことは明らかである。本開示の実施形態に基づき当業者によって何らの創造的努力なしに得られるあらゆる実施形態は、本発明の保護範囲に属する。
【００２１】
[0027]  ある構成部品が別の構成部品に「固定」されると説明するとき、それは別の構成部品に直接固定することができ、又は中間の構成部品があっても良い、すなわち第３の構成部品を介して別の構成部品に間接的に固定しても良いことに注意されたい。ある構成部品が別の構成部品に「接続」されると説明するとき、それは、別の構成部品に直接接続することができ、又は中間の構成部品があっても良い。ある構成部品が別の構成部品に「配置」されると説明するとき、それは別の構成部品に直接配置することができ、又は中間の構成部品があっても良い。
【００２２】
[0028]  別段の定めがない限り、全ての技術用語及び科学用語は、当業者によって理解される意味と共通の意味を有する。この開示で用いる用語は、例示であり、限定ではない。この開示で用いる「及び／又は」という用語は、列挙された１つ以上の関連する品目の各々の及び全ての組み合わせが含まれることを意味する。
【００２３】
[0029]  図１及び２を参照して、本発明の実施形態によるモータステータ１００は、ステータコア１０と、エンドキャップ組立体２０と、ステータコア１０に巻き付けた巻線３０とを含む。
【００２４】
[0030]  図３も参照して、ステータコア１０は、ヨーク１１と、ヨーク１１から内側に延びる複数の歯１２とを含む。ヨーク１１の端部は、その外周面に複数の取付け溝１１１を定める。取付け溝１１１は互いに均等に離間される。この実施形態では、３つの取付け溝１１１がある。歯１２に隣接する第１の位置決め溝１１２が、各取付け溝１１１の側壁に形成される。第１の位置決め溝１１２は、ステータコア１０の軸方向に沿って延び、ほぼ円弧形である。各２つの隣接する取付け溝１１１間に位置決め穴１１３が形成される。この実施形態では、３つの位置決め穴１１３がある。ヨーク１１の他の端部は、この端部と実質的に同じ構造である。
【００２５】
[0031]  歯１２の遠位端の２つの側部は、ヨーク１１の円周方向に沿って延びて磁極片１２１を形成する。各２つの隣接する歯１２は、それらの間にステータスロット１２２を定める。この実施形態では、６つの歯１２を備えるステータコア１０を一例に挙げる。歯１２の数は、限定されず、他の実施形態における必要性に応じて調整可能である。６つの歯１２にそれぞれ６本の巻線３０を巻き付ける。各々の巻線３０は、ステータコア１０の端部からステータコア１０から引き出される２つの接続部３１を有する。巻線３０の２つ向かい合う側面に２つの接続部３１が位置し、それぞれ、対応する歯１２の２つの側面に位置する２つのステータスロット１２２から引き出される。同じステータスロット１２２から引き出された２つの接続部３１は、互いに近接している。
【００２６】
[0032]  この実施形態では、巻線３０は、第１のボビン１３及び第２のボビン１４を介して歯１２に巻き付ける。第１のボビン１３及び第２のボビン１４は、それぞれ、ステータコア１０の２つの端部に取り付ける。
【００２７】
[0033]  第１のボビン１３は、複数のボビンセグメント１３１と、Ｕ字形ブロック１３２とを含む。ボビンセグメント１３１の数は、ステータコア１０の歯１２の数と同じである。この実施形態では、ボビンセグメント１３１の数は６つである。各２つの隣接するボビンセグメント１３１は、１つのＵ字形ブロック１３２によって接続される。各々のボビンセグメント１３１は、外側壁１３１１と、内側壁１３１３と、外側壁１３１１と内側壁１３１３とを接続する接続壁１３１２を含む。互いに離間した３つのボビンセグメント１３１は、各々、それらの外側壁１３１１の外側面に第２の位置決め溝１３１４を定める。第２の位置決め溝１３１４は、ステータコア１０の軸方向に沿って延びている。組立時に、各々の第２の位置決め溝１３１４は、ステータコア１０の軸方向に沿って第１の位置決め溝１１２の１つと整列する。他の３つの離間したボビンセグメント１３１は、各々、ステータコア１０に対面するその外側壁１３１１の端面に、位置決めポスト１３１５を形成する。各々の位置決めポスト１３１５は、位置決め穴１１３の１つに対応して配置される。各Ｕ字形ブロック１３２は、底部アーム１３２１と、底部アーム１３２１の一側面にある２つの接続アーム１３２２とを含む。２つの接続アーム１３２２は、それぞれ、２つのボビンセグメント１３１の外側壁１３１１の外側面につながる。底部アーム１３２１は、各ボビンセグメント１３１の外側壁１３１１を越えて、ステータコア１０に向かって延びている。各々の底部アーム１３２１が取付け溝１１１の底部に当接し、位置決めポスト１３１５がそれらのそれぞれの位置決め穴１１３内に挿入され、結果として第１のボビン１３及びステータコア１０は互いに対して固定され、第１の位置決め溝１１２は、第２の位置決め溝１３１４と整列し、各Ｕ字形ブロック１３２の開口部がステータスロット１２２の１つと整列した状態となる。各Ｕ字形ブロック１３２は、エンドキャップ組立体２０及びステータコア１０に係合するために、楔形状の断面である。第２のボビン１４は、第１のボビン１３と実質的に同じ構造であるが、第２のボビン１４がＵ字形ブロック１３２を含まず、第２のボビン１４のボビン１３１の外側壁１３１１同士が直接接続される点で、第１のボビン１３とは異なる。巻線３０は、第１のボビン１３及び第２のボビン１４のボビンセグメント１３１の接続壁１３１２の周りに巻き付けることにより、歯１２に巻き付けている。
【００２８】
[0034]  エンドキャップ組立体２０は、エンドキャップ２１と、エンドキャップ２１に取り付けた端子２２及びワイヤー２３とを含む。図４も参照して、エンドキャップ２１は、主本体２１１及び側壁２１２を含む。主本体２１１はほぼ円板形である。側壁２１２は、ほぼ環状であり、主本体２１１の円周方向に沿って延びている。側壁２１２のうち主本体２１１から遠い端部は、各Ｕ字形ブロック１３２に対応する収容溝２１２１を定める。各２つの隣接する収容溝２１２１の間に位置決め部分２１２２が形成され、すなわち収容溝２１２１は、各２つの隣接する位置決め部分２１２２の間に形成される。収容溝２１２１を形成する各位置決め部分２１２２の２つの側面は、傾斜して楔形状とされ、これにより各収容溝２１２１があり継ぎ構成とされて、対応するＵ字形ブロック１３２との係合を助長する。この実施形態では、収容溝２１２１の数及び位置決め部分２１２２の数は、両方とも６つである。互いに離間した３つの位置決め部分２１２２は、その内側面に、第１の位置決め溝１１２及び第２の位置決め溝１３１４に対応して突起２１２３を形成する。突起２１２３は、エンドキャップ２１の軸方向に沿って延びる。突起２１２３を備える３つの位置決め部分２１２２は、エンドキャップ２１の軸方向に沿って、他の３つの位置決め部分２１２２よりも長い。エンドキャップ２１をステータコア１０に取り付ける時に、突起２１２３を持つ各々の位置決め部分２１２２は、２つの隣接するＵ字形ブロック１３２の間にはさまれ、２つの隣接するＵ字形ブロック１３２は、１つの取付け溝１１１の２つの円周側壁にそれぞれ当接する。各位置決め部分２１２２の遠位端は、１つの取付け溝１１１の底部に当接する。突起２１２３は、それぞれ、対応する第１の位置決め溝１１２及び第２の位置決め溝１３１４に収容される。突起２１２３がない各位置決め部分２１２２は、２つの隣接する取付け溝１１１内で２つの隣接するＵ字形ブロック１３２の間にはさまれ、２つの隣接する取付け溝１１１を越えて突出するヨーク１１の端面に当接する。
【００２９】
[0035]  主本体２１１の縁は、各収容溝２１２１に隣接する位置に端子２２を収容するために収容スロット２１３を定める。主本体２１１の外周面は、各収容スロット２１３に隣接する位置に開口２１４を定める。開口２１４は、対応する収容スロット２１３に向かって延びる。開口２１４は、対応する収容スロット２１３と連通しかつこれを通って延び、収容スロット２１３を２つの凹面に分割する。
【００３０】
[0036]  主本体２１１は、その中央部に軸受シート４１を形成し、そこに軸受を収容する。主本体２１１は、軸受シート４１の周りに第１の収容溝２１５、第２の収容溝２１６及び第３の収容溝２１７をさらに定める。第１の収容溝２１５、第２の収容溝２１６及び第３の収容溝２１７は湾曲し、第１の収容溝から第３の収容溝の２つごとは互いに交差する。各々の収容溝は、軸受シート４１に関して対称な、２つの対称な収容スロット２１３と連通している。第２の収容溝２１６には、第２の収容溝２１６と第１の収容溝２１５との間の交差領域に一対のボス２１６１が形成される。一対のボス２１６１は、分離部分として機能する。一対のボス２１６１は、それぞれ、第１の収容溝２１５の２つの側面に位置し、しかも第１の収容溝２１５に隣接する。第３の収容溝２１７は、その中に形成された二対のボス２１７１及び２１７２を有する。一方の対のボス２１７１は、第３の収容溝２１７と第１の収容溝２１５との間の交差領域に形成され、それぞれ、第１の収容溝２１５の２つの側面に位置する。他方の対のボス２１７２は、第３の収容溝２１７と第２の収容溝２１６との間の交差領域に形成され、それぞれ、第２の収容溝２１６の２つの側面に位置する。各収容溝の各端部は、エンドキャップ２１の軸方向に沿って延びる円弧溝２１８を定める。円弧溝２１８は、１つの対応する開口２１４と連通し、主本体２１１を通って延びている。
【００３１】
[0037]  主本体２１１は、その内部に複数の凹所５１を定める。各凹所５１を通って貫通穴５２が定まり、モータが負荷を駆動するとき、熱放散を助長する。
【００３２】
[0038]  図５も参照して、主本体２１１は、その外側面の縁に複数の均等に離間された巻付部分６１を形成する。各々の巻付部分６１は曲がっている。各巻付部分６１によって、開口部を有するラッチ溝６１１が定まる。ラッチ溝６１１はほぼＣ字形であり、その開口部は、開口部の外側方向で狭くなっている。この実施形態では、巻付部分６１の数は６つであり、各巻付部分６１は位置決め部分２１２２に配置される。巻付部分６１は、エンドキャップユニット２０から引き出されたリード線を巻き付けるために使用される。リード線は、巻付部分６１の周りに一巻以上された後、巻付部分６４に位置決めされる。
【００３３】
[0039]  エンドキャップ２１は、主本体２１１を通って延びる複数の柱形のロック部分７１を有する。この実施形態では、ロック部分７１の数は３つであり、３つのロック部分７１は、各々その軸方向に沿って穴７１１を定め、結果として締め具が、穴７１１を通り、隣接する歯１２の間のステータスロット１２２を通って延びて、別のエンドキャップ２１（図示しない）に固定することができ、エンドキャップ組立体２０をステータコア１０に固定する。
【００３４】
[0040]  再び図２を参照して、端子２２の数は６つである。各々の端子２２は、１つの対応する収容スロット２１３に締りばめで固定される。各端子２２は、接続板２２１と、接続板２２１の一側面から延びるフック２２３とを含む。接続板２２１は、収容スロット２１３に収容される。この実施形態では、接続板２２１の上側部分は、接続板２２１の下側部分よりも狭い。各接続板２２１の上側部分は、対応する収容スロット２１３を通り主本体２１１を越えて延び、接続板２２１の下側部分は、対応する収容スロット２１３に締りばめされて、端子２２を収容スロット２１３内に固定する。フック２２３は、接続板２２１の側面に位置して開口２１４に対面している。この実施形態では、フック２２３は、ほぼＬ字形であり、接続板２２１と協働してそれらの間にスロット（参照番号なし）を形成する。同じステータスロット１２２から引き出される２つの接続部３１は、一般に、１つの端子２２のスロットを通って延び、フック２２３に溶接され又ははんだ付けされて、対応する巻線３０を、それぞれ端子２２に電気的に接続する。
【００３５】
[0041]  ワイヤー２３の本数は３本である。３本のワイヤー２３は、それぞれ、第１の収容溝２１５、第２の収容溝２１６及び第３の収容溝２１７に収容される。各ワイヤー２３の２つの端部が、それぞれ、対応する収容溝の２つの端部で円弧溝２１８を通って延び、対応する端子２２に電気的に接続されて、対応する巻線３０間の接続を実現する。
【００３６】
[0042]  図６も参照して、組立時に、第１のボビン１３及び第２のボビン１４をステータコア１０に取り付け、各巻線３０は、第１のボビン１３及び第２のボビン１４の対応するボビンセグメント１３１の接続部１３１２に巻き付ける。同じステータスロット１２２から引き出される２本の巻線３０の２つの接続部３１は、曲がって互いに近付いている。ワイヤー２３の一方は、第１の収容溝２１５内に配置され、その２つの端部は、曲げて第１の収容溝２１５の２つの端部で円弧溝２１８に挿入される。ワイヤー２３の別の一方は、第２の収容溝２１６に配置される。第２の収容溝２１６の一対のボス２１６１は、別のワイヤー２３を第１の収容溝２１５内のワイヤー２３から分離し、２つのワイヤー２３が互いに接触しないようになっている。第２の収容溝２１６内の別のワイヤー２３の２つの端部は、曲げて第２の収容溝２１６の２つの端部で円弧溝２１８に挿入される。最後のワイヤー２３は、第３の収容溝２１７に配置される。第３の収容溝２１７の二対のボス２１７１、２１７２は、最後のワイヤー２３を、第１の収容溝２１５内のワイヤー２３及び第２の収容溝２１６内の別のワイヤー２３から分離し、最後のワイヤー２３は、ワイヤー２３及び別のワイヤー２３何れとも接触しない。第３の収容溝２１７内の最後のワイヤー２３の２つの端部は、曲げて第３の収容溝２１７の２つの端部で円弧溝２１８に挿入される。次いで、６つの端子２２は、それらのそれぞれの収容スロット２１３に挿入され、結果として６つの端子２２は、収容スロット２１３にそれぞれ締りばめで固定され、端子２２のフック２２３は、エンドキャップ２１の外側に向いている。同じステータスロット１２２から引き出される２つの接続部３１は、１つの対応する端子２２のスロットを通って延びて、フック２２３で溶接され又ははんだ付けされ、対応する巻線３０は、それぞれ端子２２に電気的に接続される。各ワイヤー２３の２つの端部は、それぞれ、２つの対応する収容スロット２１３内で溶接又ははんだ付けによって２つの端子２２にそれぞれ電気的に接続され、２つの端子２２を電気的に接続する。最後に、締め具は、隣接する歯１２の間の穴７１１及びステータスロット１２２を通って延び、次いで、別のエンドキャップに固定され、エンドキャップ組立体２０はステータコア１０に固定されるようになっている。もちろん、端子２２及びワイヤー２３は、異なる順に組み立てることができる。例えば、１本のワイヤー２３の組立後、ワイヤー２３に接続された２つの端子２２は、エンドキャップ２１へ直ちに組み立てることができる。
【００３７】
[0043]  対応する巻線３０間の接続が終了した後に、３つの隣接する端子２２の各々からリード線を引き出し、外部電源に接続する。
【００３８】
[0044]  本発明の実施形態によるステータ１００では、端子及びワイヤーは、エンドキャップ上に固定され、これにより組立が便利になり、しかもエンドキャップ内の空間が最大限に利用されて、巻線間の接続が簡単になり、モータの費用が下がる。さらに、エンドキャップはその内部に収容溝を定め、収容溝内にボスが形成され、結果としてワイヤーは、エンドキャップ内に、互いに接触することなく順序正しく分布させることができ、ワイヤー２３の絡み合い及び短絡の危険が回避される。本発明の実施形態のデザインは、小さな電気ドリルのブラシレス直流モータ用のような様々な電子機器に適する。
【００３９】
[0045]  ステータコア１０の歯１２の数及びエンドキャップ組立体２０上の端子２２の数は、この実施形態のような６つに限定されず、例えば４つでも良いことを理解されたい。この場合、エンドキャップ組立体２０は２本のワイヤー２３を有し、エンドキャップ２１は２つの収容溝を定め、各ワイヤー２３は１つの対応する収容溝内に収容され、２つの端子２２へ電気的に接続する。別の実施例において、エンドキャップ組立体２０は、１本のワイヤー２３のみを有することができ、エンドキャップ２１は１つの収容溝を定め、ワイヤー２３は、収容溝内に収容されて２つの端子２２へ電気的に接続する。
【００４０】
[0046]  エンドキャップ２１は、側壁２１２を省略して、主本体２１１のみを含んでも良いことを理解されたい。この場合、端子２２は、主本体２１１の円周面に直接固定することができる。
【００４１】
[0047]  エンドキャップ組立体２０とステータコア１０とは、スナップ式接続又はねじ接続のような他の手段によって接続可能であることを理解されたい。
【００４２】
[0048]  ワイヤー２３を収容するための収容溝を主本体２１１に形成する代わりに、ワイヤー２３を固定するために、ワイヤクリップが主本体２１１上にワイヤー２３の経路に沿って配置可能であることを理解されたい。
【００４３】
[0049]  上述した実施形態は、本発明の好ましい実施形態であり、決して、本発明の範囲を限定するために使用すべきではない。当業者には、本発明の精神又は範囲から逸脱することなく様々な修正が可能であり、そのような全ての修正は、本発明の範囲に含むべきである。
【符号の説明】
【００４４】
２０  エンドキャップ組立体
２１  エンドキャップ
２２  端子
２３  ワイヤー
２１５  第1の収容溝
２１６  第２の収容溝
２１７  第３の収容溝
【図１】
2017175898.tif 000003
【図２】
2017175898.tif 000004
【図３】
2017175898.tif 000005
【図４】
2017175898.tif 000006
【図５】
2017175898.tif 000007
【図６】
2017175898.tif 000008
【外国語明細書】
2017175898000001.pdf